(57)【要約】【課題】少量の顔料を作るのに適した小型の顔料粉砕器を提供する。【解決手段】顔料塊を入れたペットボトルＰを回転させて顔料塊を粉砕する顔料粉砕器であって、ペットボトルＰの底部を支持する底部支持板４と、底部支持板４を回転させるモータ２と、ペットボトルＰのキャップを支持するキャップ支持体１４と、キャップ支持体１４を回転自在に保持すると共にペットボトルＰに対し接近離間自在に保つ支持機構１０とからなる。底部支持板４とキャップ支持体１４とでペットボトルＰを支持しておき、ペットボトルＰの中に粉砕すべき顔料塊を入れてモータ２で回転させると、顔料が粉状に砕かれる。ペットボトルＰは小型であるので、少量の顔料を作るのに適している。【選択図】        図１
0003118349.tif 000002
【実用新案登録請求の範囲】
【請求項１】
顔料塊を入れたペットボトルを回転させて顔料塊を粉砕する顔料粉砕器であって、
ペットボトルの底部を支持する底部支持板と、
該底部支持板を回転させるモータと、
ペットボトルのキャップを支持するキャップ支持体と、
該キャップ支持体を回転自在に保持すると共にペットボトルに対し接近離間自在に保つ支持機構とからなる
ことを特徴とする顔料粉砕器。
【請求項２】
前記支持機構は、支持棒と、該支持棒に対し前記キャップ支持体を回転自在に取付ける軸受と、前記支持棒を孔に摺動自在に通して保持する支持台と、該支持台に挿入した支持棒を固定したり解除する固定ボルトとからなる
ことを特徴とする顔料粉砕器。
【考案の詳細な説明】
【技術分野】
【０００１】
本考案は、顔料粉砕器に関する。さらに詳しくは、少量の顔料を製作するに適した小型の顔料粉砕器に関する。
【背景技術】
【０００２】
顔料はあまに（亜麻仁）油、ワニス、硝酸繊維素、合成樹脂液、カゼイン、アラビアゴムなどの展色材（ビヒクル，vehicle）と練り合わせて、塗料、印刷インキ、絵具などをつくるのに使われる。
顔料を分類すると無機顔料と有機顔料とになる。無機顔料には天然鉱物をそのまままたは加工、粉砕してつくるものと、亜鉛、チタン、鉛、鉄、銅、クロムなどの金属加工物を化学的につくるものとがある。
【０００３】
無機顔料を用いて、これを粉砕する場合、工業的には大量生産の効く大型のボールミルが使用される（例えば、特許文献１参照）。
しかるに、大型のボールミルでは大量にしか生産できないので、大学研究室や陶芸工房や実験室などで、少量の顔料を簡易に作ることはできないという問題がある。
【０００４】
【特許文献１】特開２００２−１７２３４０
【考案の開示】
【考案が解決しようとする課題】
【０００５】
本考案は上記事情に鑑み、少量の顔料を作るのに適した小型の顔料粉砕器を提供することを目的とする。
【課題を解決するための手段】
【０００６】
第１考案の顔料粉砕器は、顔料塊を入れたペットボトルを回転させて顔料塊を粉砕する顔料粉砕器であって、ペットボトルの底部を支持する底部支持板と、該底部支持板を回転させるモータと、ペットボトルのキャップを支持するキャップ支持体と、該キャップ支持体を回転自在に保持すると共にペットボトルに対し接近離間自在に保つ支持機構とからなることを特徴とする。
第２考案の顔料粉砕器は、前記支持機構は、支持棒と、該支持棒に対し前記キャップ支持体を回転自在に取付ける軸受と、前記支持棒を孔に摺動自在に通して保持する支持台と、該支持台に挿入した支持棒を固定したり解除する固定ボルトとからなることを特徴とする。
【考案の効果】
【０００７】
第１考案によれば、底部支持板とキャップ支持体とでペットボトルを支持しておき、ペットボトルの中に粉砕すべき顔料塊を入れてモータで回転させると、顔料が粉状に砕かれる。ペットボトルは小型であるので、少量の顔料を作るのに適している。
第２考案によれば、キャップ支持体は軸受を介して支持棒に取付けられているので回転自在であり、モータで底部支持板を回転させたとき、ペットボトルが充分な回転数で回転し粉砕を効率よく行える。また、支持棒は支持台に対し摺動自在であるから、ペットボトルを、その大きさに合わせて取付けることができ、取付け状態は固定ボルトで固定できるので、安全に使用することができる。
【考案を実施するための最良の形態】
【０００８】
つぎに、本考案の実施形態を図面に基づき説明する。
本考案はペットボトルを利用して顔料塊を粉体に粉砕する顔料粉砕器である。本明細書でいうペットボトルとは、清涼飲料などの容器に使用されるプラスチック容器であって、ＰＥＴボトル（polyethylene terephthalate bottle）とも称されている。
【０００９】
図１は本発明の一実施形態に係る顔料粉砕器の側面図である。図２は同実施形態の顔料粉砕器の平面図である。
【００１０】
図１および図２において、１は基台であり、この基台１の一端部にモータ２が載せられ、他端部に支持機構１０が取付けられている。
前記モータ２の主軸３には、底部支持板４が取付けられている。この底部支持板４には、ペットボトルＰの底部を保持する凹所４ａが形成されている。
【００１１】
前記支持機構１０は、支持台１１と、支持台１１に形成された孔に通された支持棒１２と、固定ボルト１３とを有している。
前記支持棒１２は支持台１１の孔内で、軸方向に摺動自在であり、任意の位置で固定ボルト１３で固定したり、固定を解除できるようになっている。
【００１２】
前記キャップ支持体１４は、支持棒１２の先端部において、ベアリング等の軸受を介して回転自在に取付けられている。
また、前記キャップ支持体１４には、ペットボトルＰのキャップを保持する凹所14aが形成されている。
【００１３】
つぎに、上記顔料粉砕器の使用方法を説明する。図３は同実施形態の顔料粉砕器における使用中の説明図である。
まず、市販のペットボトルを空にして、その中に顔料塊と磁器ボールやビー玉等の硝子玉及び材料塊の量に応じた適量の水を入れる。そのうえで、ペットボトルＰの底を底部支持板４に当てて、支持棒１２を動かせてキャップ支持体１４をペットボトルＰのキャップに嵌め合わせる。この状態で、固定ボルト１３を締めて支持棒１２を固定する。以上で準備完了である。
【００１４】
つぎに、モータ２を回転させると、底部支持板４と共にペットボトルＰは自転するので、内部の顔料塊は互いに衝突を繰返して、粉砕されていく。充分な時間を回転させると、顔料塊は油などに練り合わせるのに適した粒度の粉になる。
ペットボトルＰは500mリットルから２リットル位までのものを使えば、少量の顔料製作が手軽に行える。
【産業上の利用可能性】
【００１５】
本考案は、陶芸工房での絵付け、陶芸工房での釉薬の調合、科学実験での試薬の調合実験、薬学実験での試薬の調合実験などの分野で利用される。
【図面の簡単な説明】
【００１６】
【図１】本発明の一実施形態に係る顔料粉砕器の側面図である。
【図２】同実施形態の顔料粉砕器の平面図である。
【図３】同実施形態の顔料粉砕器における使用中の説明図である。
【符号の説明】
【００１７】
１    基台
２    モータ
４    底部支持板
１０    支持機構
１１    支持台
１２    支持棒
１３    固定ボルト
１４    キャップ支持体
【図１】
0003118349.tif 000003
【図２】
0003118349.tif 000004
【図３】
0003118349.tif 000005
【手続補正書】
【提出日】平成17年11月17日(2005.11.17)
【手続補正１】
【補正対象書類名】実用新案登録請求の範囲
【補正対象項目名】請求項２
【補正方法】変更
【補正の内容】
【請求項２】
前記支持機構は、支持棒と、該支持棒に対し前記キャップ支持体を回転自在に取付ける軸受と、前記支持棒を孔に摺動自在に通して保持する支持台と、該支持台に挿入した支持棒を固定したり解除する固定ボルトとからなる
ことを特徴とする請求項１記載の顔料粉砕器。